(57)【要約】【課題】着信が通信カラオケ装置に対する着信か、または、お店の人への着信かを自動的に判定することができて、顧客からの着信をお店の人につないで、お店の売上げ向上に貢献することができる通信カラオケシステムを提供する。【解決手段】電話回線（公衆電話回線２０）に通信カラオケ装置１００と電話機４０が接続された構成の通信カラオケシステム１であって、公衆電話回線２０を介した着信の発信者番号を検出する発信者番号検出部３１と、前記発信者番号に基づいて前記通信カラオケ装置１００または電話機４０側に前記電話回線２０を接続する回線切替部３２と、前記回線切替後に、通信の成功の有無を検出するシステム制御部１１０と、通信が成功した場合は、前記発信者番号と接続先との対応を記憶する切替テーブル１５１を備えた。【選択図】  図１
2005107271.tif 000002
【特許請求の範囲】
【請求項１】
電話回線に通信カラオケ装置と電話機が接続された構成の通信カラオケシステムであって、
電話回線を介した着信の発信者番号を検出する発信者番号検出手段と、
前記発信者番号と接続先との対応を記憶する切替情報記憶手段と、
前記切替情報記憶手段に基づいて前記通信カラオケ装置または電話機側に前記電話回線を接続する回線切替手段と、
前記回線切替後に、通信の成功の有無を検出する通信監視手段と、
前記通信監視手段により通信が成功したことを検出した場合は、前記発信者番号と接続先との対応を切替情報記憶手段に記憶させる制御手段とを備えたことを特徴とする通信カラオケシステム。
【請求項２】
前記回線切替手段は、前記発信者番号が、前記切替情報記憶手段に記憶されていない場合には、回線を通信カラオケ装置側に切替えることを特徴とする請求項１に記載の通信カラオケシステム。
【請求項３】
前記回線切替手段は、前記通信カラオケ装置と分離可能に構成され、電話回線を介した着信の発信者番号を検出し、該発信者番号を通信カラオケ装置に出力する発信者番号検出手段と、通信カラオケ装置から回線切替指示を受信して、前記電話回線を切替える回線切替手段とを備えたことを特徴とする請求項１に記載の通信カラオケシステムに用いられる回線切替装置。
【発明の詳細な説明】
【技術分野】
【０００１】
この発明は、通信カラオケシステム、通信カラオケシステムの回線切替装置に関し、更に詳述すれば、ホストからのカラオケデータの追加・更新データを電話回線を介して、接続する構成の通信カラオケ装置において、当該電話回線にお店の顧客から着信があった際に、その着信を、お店の電話機につなぐことができる通信カラオケシステム、通信カラオケシステムの回線切替装置に関するものである。
【背景技術】
【０００２】
ホストからカラオケデータ（通常は、差分データ）を受信して、データ更新を行う従来の通信カラオケ装置は、通信経路に公衆回線を用いており、通常、前段に回線切換装置を設置することにより、電話機と通信カラオケ装置の回線を時間的に切り替える仕組みになっている。
【０００３】
このような時間的に切り替える仕組みのものは、設定された時間外には、意図しない回線につながってしまう。例えば、回線切替装置が現在、通信カラオケ装置側に切り替わっているとする。この時、カラオケ店に用件のある顧客が電話をかけてきた場合、通信カラオケ装置につながってしまうと、当該お店に用件のある顧客は、不快な思いをしてしまう。
【０００４】
さらに、何回電話をかけ直しても、回線切替装置が回線をお店の電話機側に切り替えない限り、お店の人と電話で会話をしたり、留守番電話にメッセージを残すことはできない。
【０００５】
これらの問題を解決するものとして、特許文献１に記載の回線切替の自動切換方法が知られている。
【特許文献１】特開平9-270866号公報
【発明の開示】
【発明が解決しようとする課題】
【０００６】
従来の利用者が回線切替装置を手動で操作して切替側を設定しておかなければならず、自動的に発信者番号と切替側を決定することができなかった。
【０００７】
この発明は、このような事情に鑑みなされたものであって、着信が通信カラオケ装置に対する着信か、または、お店の人への着信かを自動的に判定することができて、顧客からの着信をお店の人につないで、お店の売上げ向上に貢献することができる通信カラオケシステムを提供することを目的とする。
【課題を解決するための手段】
【０００８】
この発明の第1発明は、上記目的を達成するため、電話回線に通信カラオケ装置と電話機が接続された構成の通信カラオケシステムであって、電話回線を介した着信の発信者番号を検出する発信者番号検出手段と、前記発信者番号と接続先との対応を記憶する切替情報記憶手段と、前記切替情報記憶手段に基づいて前記通信カラオケ装置または電話機側に前記電話回線を接続する回線切替手段と、前記回線切替後に、通信の成功の有無を検出する通信監視手段と、  前記通信監視手段により通信が成功したことを検出した場合は、前記発信者番号と接続先との対応を切替情報記憶手段に記憶させる制御手段とを備えたことを特徴とする通信カラオケシステム。
【０００９】
また、この発明の第２発明は、上記第１発明において、前記回線切替手段は、前記発信者番号が、前記切替情報記憶手段に記憶されていない場合には、回線を通信カラオケ装置側に切替えることを特徴とする通信カラオケシステムである。
【００１０】
また、この発明の第３発明は、上記第１発明において、前記回線切替手段は、前記通信カラオケ装置と分離可能に構成され、電話回線を介した着信の発信者番号を検出し、該発信者番号を通信カラオケ装置に出力する発信者番号検出手段と、通信カラオケ装置から回線切替指示を受信して、前記電話回線を切替える回線切替手段とを備えたことを特徴とする通信カラオケシステムに用いられる回線切替装置である。
【発明の効果】
【００１１】
本発明の通信カラオケ装置によれば、着信が通信カラオケ装置に対する着信か、または、お店の人への着信かを自動的に判定することができて、顧客からの着信をお店の人につないで、お店の売上げ向上に貢献することができる通信カラオケシステムとすることが出来る。
【発明を実施するための最良の形態】
【００１２】
本発明の通信カラオケ装置は、電話回線（公衆電話回線２０）に通信カラオケ装置１００と電話機４０が接続された構成の通信カラオケシステム１であって、
公衆電話回線２０を介した着信の発信者番号を検出する発信者番号検出手段（発信者番号検出部３１）と、前記発信者番号と接続先との対応を記憶する切替情報記憶手段（切替テーブル１５１）と、前記切替情報記憶手段（切替テーブル１５１）に基づいて前記通信カラオケ装置１００または電話機４０側に前記電話回線２０を接続する回線切替手段（回線切替部３２）と、前記回線切替後に、通信の成功の有無を検出する通信監視手段（システム制御部１１０）と、前記通信監視手段（システム制御部１１０）により通信が成功したことを検出した場合は、前記発信者番号と接続先との対応を切替情報記憶手段（切替テーブル１５１）に記憶させる制御手段（システム制御部１１０）とを備えたことを特徴とする通信カラオケシステムである。
【実施例】
【００１３】
この発明の通信カラオケ装置を図面に基づき説明する。
【００１４】
図１は、本発明の通信カラオケシステム1の全体システム構成を示したブロック図である。
【００１５】
１０は、カラオケ曲データを各通信カラオケ装置に配信するホストコンピュータであり、図示しないカラオケ曲のデータベースを備えている。
【００１６】
２０は、公衆電話回線であり、ホストコンピュータからの配信されたカラオケ曲の追加・更新データは、公衆電話回線２０を介して、通信カラオケ装置１００に伝送される。
【００１７】
３０は、一方が公衆電話回線２０に接続され、他方が、店内の電話機４０または通信カラオケ装置１００に接続された回線切替装置であり、公衆電話回線２０からの着信を前記電話機４０又は通信カラオケ装置１００に接続する。回線切替装置３０は、公衆電話回線２０から着信があると、その発信者番号を検出する発信者番号検出部３１と、前記着信を電話機４０又は通信カラオケ装置１００若しくは着信拒否部３３に切り替える回線切替部３２を備えており、各部は、図示しない記憶部に記憶された制御プログラムに基づいて、その動作が制御されている。３３は着信拒否部であり、迷惑電話等の番号を後述する切替テーブル１５１に予め登録しておくことで、該迷惑電話はこの着信拒否部に接続される。この着信拒否部は所定のメッセージを流して回線を切断する。
【００１８】
５０は、通信モデムである。
【００１９】
１００は、通信カラオケ装置であり、通信カラオケ装置１００は、各種プログラムに基づいて全体の制御を行うシステム制御部１１０と、前記回線切替装置３０の発信者番号検出部３１で検出された発信者番号を受信する発信者番号受信部１２０と、前記回線切替装置３０の回線切替部３２に切替先の指示を行う切替先指示部１３０と、前記発信者番号に基づて、切替先を指示する切替先指示プログラム等の各種制御プログラムやなどが記憶される主記憶装置１４０と、カラオケ曲情報や背景動画情報などのカラオケ再生に必要な各種情報や切替を行うための切替テーブル１５１（図２参照）を記憶する補助記憶装置１５０と、選曲入力，再生指示などの各種操作を行うための操作部１６０と、前記各種操作情報やカラオケの歌詞や背景映像等を表示するための表示部１７０と、モニタ１８０と、カラオケ曲データに基づいて、カラオケ演奏処理を行うカラオケ演奏処理部１９０と、マイク２００と、スピーカ２１０を備えている。
【００２０】
図２、３、４は、前記切替テーブル１５１の構成を示した概念図であり、図２は初期設定例を示し、図３は、発信者番号１２３がホストコンピュータ１０からの発信の場合の設定例を示し、図４は、発信者番号４５６が顧客からの発信の場合の設定例を示している。
【００２１】
図２において、切替番号は、前記発信者番号検出部３１により検出された発信者番号に基づいて、切替先を決定する際の優先順位を示しており、前記システム制御部１１０は、制御プログラムに基づいて、該切替テーブル１５１を参照し、切替番号の１から昇順に発信者番号を調べ、条件に一致した行の切替先に回線を切替る。
【００２２】
尚、発信者番号の「登録なし」は、非通知ｏｒ公衆電話などの発信者番号を特定できないものを除く番号のすべてを示すものとする。
【００２３】
図２の切替テーブル１５１の状態で、「テーブルに登録されていない発信者番号」から着信があったとき、切替番号１の通信カラオケ装置１００に接続される。また、発信者番号が「公衆電話」の場合は、その着信は切替番号２の電話機４０に接続される。また、発信者番号が「非通知」の場合は、その着信は切替番号３の電話機４０に接続される。また、発信者番号が、切替番号１〜３のどの発信者番号にも該当しない場合は、切替番号４の「デフォルト」の電話機４０に接続されるように制御が行われる。
【００２４】
次に、上記した着信の切替制御を図５のフローチャートに基づいて、説明する。
【００２５】
回線切替装置３０は発信者番号検出部３１により、公衆電話回線２０から発信者番号「１２３」を検出すると（ステップ３０１、以下、ステップをＳと略記する。図面において同じ）、発信者番号検出部３１は、制御プログラムに制御されて、前記検出した発信者番号「１２３」を通信カラオケ装置１００に送信する（Ｓ３０２）。尚、回線切替装置３０と通信カラオケ装置１００間のインターフェースはシリアルを想定しているが、データを送信できるインターフェースであれば、これに限定されない。
【００２６】
通信カラオケ装置１００の発信者番号受信部１２０が、前記発信者番号「１２３」を受信すると（Ｓ１０１）、システム制御部１１０は、切替先指示プログラムに基づいて、発信者番号「１２３」を認識して（Ｓ１０２）、認識した発信者番号「１２３」を切替テーブル１５１から検索する。今、切替テーブル１５１は、図２の状態であるため、発信者番号「１２３」はレコードに存在しない。従って、発信者番号「登録なし」と判断されて、切替番号１の通信カラオケ装置１００側へ切替えが認識される（Ｓ１０３）。
【００２７】
切替先指示部１３０は、前記認識した切替指示、すなわち、公衆電話回線２０を通信カラオケ装置１００側へ切替える指示を回線切替装置３０へ送信する（Ｓ１０４）。尚、通信カラオケ装置１００と回線切替装置３０間のインターフェースはシリアルを想定しているが、データを送信できるインターフェースであれば、これに限定されない。
【００２８】
回線切替装置３０は、前記切替え指示を受信すると（Ｓ３０３）、回線切替部３２を制御して、公衆電話回線２０を通信カラオケ装置１００側へ接続する（Ｓ３０４）。
【００２９】
これにより、ホストコンピュータ１０と通信カラオケ装置１００間の回線が接続されて、ホストコンピュータ１０と通信カラオケ装置１００間でデータの送受信が行われる。
【００３０】
通信カラオケ装置１００は、ホストコンピュータ１０と通信カラオケ装置１００間の通信が成功したことを検出すると（Ｓ１０５）、切替テーブル１５１の切替番号１に該通信に成功した発信者番号「１２３」と接続先「通信カラオケ装置」を対にして記憶する（Ｓ１０６）。図３は、前記記憶内容を更新した切替テーブル１５１の内容を示している。
【００３１】
次に、図２の切替テーブルの状態で、顧客（発信者番号「４５６」から電話が掛かってきたときの処理の流れを図５のフローチャートに基づいて説明する。
【００３２】
回線切替装置３０は発信者番号検出部３１により、公衆電話回線２０から発信者番号「４５６」を検出すると（ステップ３０１、以下、ステップをＳと略記する。図面において同じ）、発信者番号検出部３１は、制御プログラムに制御されて、前記検出した発信者番号「４５６」を通信カラオケ装置１００に送信する（Ｓ３０２）。
【００３３】
通信カラオケ装置１００の発信者番号受信部１２０が、前記発信者番号「４５６」を受信すると（Ｓ１０１）、システム制御部１１０は、切替先指示プログラムに基づいて、発信者番号「４５６」を認識して（Ｓ１０２）、認識した発信者番号「４５６」を切替テーブル１５１から検索する。今、切替テーブル１５１は、図２の状態であるため、発信者番号「４５６」はレコードに存在しない。従って、発信者番号「登録なし」と判断されて、切替番号１の通信カラオケ装置１００側へ切替えが認識される（Ｓ１０３）。
【００３４】
切替先指示部１３０は、前記認識した切替指示、すなわち、公衆電話回線２０を通信カラオケ装置１００側へ切替える指示を回線切替装置３０へ送信する（Ｓ１０４）。
【００３５】
回線切替装置３０は、前記切替え指示を受信すると（Ｓ３０３）、回線切替部３２を制御して、公衆電話回線２０を通信カラオケ装置１００側へ切替える（Ｓ３０４）。
【００３６】
これにより、顧客と通信カラオケ装置１００間の回線が接続されるが、顧客は、通信カラオケ装置１００側に接続されたことを、制御信号などで知り、回線を切ってしまうので、通信は失敗に終わる。
【００３７】
通信カラオケ装置１００は、発信者番号「４５６」との間で、通信が失敗したことを検出すると（Ｓ１０５）、切替テーブル１５１の切替番号１に該通信に失敗した発信者番号「４５６」と接続先「電話機」を対にして記憶する（Ｓ１０６）。図４は、前記記憶内容を更新した切替テーブル１５１の内容を示している。
【００３８】
このように本発明の通信カラオケ装置１００によれば、通信カラオケ装置自体が、通信データを検査することで、この通信がカラオケ装置向けに発信されたかどうか判定することが可能となる。その結果、通信カラオケ装置内に保持する切替テーブル１５１の自動更新が可能となり、手動で切り替える煩わしさが最低限ですむことになる。
【００３９】
さらに、切替テーブルの追加・更新・削除のメンテナンスを通信カラオケ装置１００内の操作部、表示部で処理することができ、回線切替装置３０の構造が簡単になり、システム全体としてのコストダウンが期待できる。
【００４０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４１】
【図１】この発明の実施の形態である通信カラオケシステムの全体システム構成を示したブロック図である。
【図２】この発明の実施の形態にかかる通信カラオケ装置１００の切替テーブル１５１の構成を示した概念図である。
【図３】この発明の実施の形態にかかる通信カラオケ装置１００の切替テーブル１５１の構成を示した概念図である。
【図４】この発明の実施の形態にかかる通信カラオケ装置１００の切替テーブル１５１の構成を示した概念図である。
【図５】この発明の実施の形態にかかる通信カラオケシステムにおいて公衆電話回線２０からの着信の切替制御の流れを示した動作フローチャートである。
【符号の説明】
【００４２】
１        通信カラオケシステム
１０      ホストコンピュータ
２０      公衆電話回線
３０      回線切替装置
３１      発信者番号検出部
３２      回線切替部
３３      着信拒否部
４０      電話機
５０      通信モデム
１００    通信カラオケ装置
１１０    システム制御部
１２０    発信者番号受信部
１３０    切替先指示部
１４０    主記憶装置
１５０    補助記憶装置
１５１    切替テーブル
１６０    補助記憶装置
１７０    表示部
１８０    モニタ
１９０    カラオケ演奏処理部
２００    マイク
２１０    スピーカ
【図１】
2005107271.tif 000003
【図２】
2005107271.tif 000004
【図３】
2005107271.tif 000005
【図４】
2005107271.tif 000006
【図５】
2005107271.tif 000007